(57)【要約】【課題】単位時間に、より複雑で、かつ、より多量の情報を、より正確に処理することができるようにする。【解決手段】画像データ出力部１１は、表示部７７のマトリクスの各列に対して、画像データを行毎に供給し、スイッチ制御部１２は、表示部７７のマトリクスの各行に対して、全列のスイッチ回路ＳＷを制御する制御データＧを供給する。キャパシタＰは、スイッチ回路ＳＷにおいて選択された画像データを電荷として蓄積する。変調用スイッチ回路ＳＷｍは、表示制御部７６の変調データ出力部９１より信号線１１１を介して、制御端子に供給された制御信号Ｖｍｏｄに基づいて、ON状態またはOFF状態を切り替えることにより、入力端子に供給された画像データを変調し、変調した画像データを出力端子より発光素子ＥＬに供給し、発光素子ＥＬを発光させる。本発明は通信システムに適用できる。【選択図】図４
2005094247.tif 000002
【特許請求の範囲】
【請求項１】
画像を表示する表示部を有し、通信データを出力する通信装置において、
前記表示部の任意の画素において、画像データを前記通信データにより変調する変調手段と、
前記任意の画素において、前記変調手段により変調された前記画像データに対応する画像を表示するように前記表示部を制御し、前記画像を表示させるとともに前記通信データを光情報として出力させる表示制御手段と
を備えることを特徴とする通信装置。
【請求項２】
前記変調手段は、前記表示部の複数の画素において、同じ前記通信データを用いて前記画像データを変調し、
前記表示制御手段は、前記表示部を制御し、同じ前記通信データを前記複数の画素より出力させる
ことを特徴とする請求項１に記載の通信装置。
【請求項３】
前記変調手段は、前記表示部の複数の画素の各画素において、互いに異なる前記通信データを用いて前記画像データを変調し、
前記表示制御手段は、前記表示部を制御し、互いに異なる前記通信データを前記複数の画素より出力させ、１画面分の画像に対応して、複数の前記通信データを互いに異なる画素より出力させる
ことを特徴とする請求項１に記載の通信装置。
【請求項４】
前記変調手段は、前記表示部の複数の画素において、１つの前記通信データの互いに異なる部分を用いて前記画像データを変調し、
前記表示制御手段は、前記表示部を制御し、前記１つの通信データの各部分を、前記複数の画素の各画素より出力させる
ことを特徴とする請求項１に記載の通信装置。
【請求項５】
前記変調手段により変調された前記画像データの輝度値の平均値を調整する平均値調整手段をさらに備える
ことを特徴とする請求項１に記載の通信装置。
【請求項６】
前記平均値調整手段は、前記変調手段による前記変調に用いられる前記通信データのデューティサイクルを調整する
ことを特徴とする請求項５に記載の通信装置。
【請求項７】
前記通信データの振幅を制御する振幅制御手段をさらに備える
ことを特徴とする請求項１に記載の通信装置。
【請求項８】
前記表示制御手段は、前記表示部を制御し、前記変調手段に輝度が最大の前記画像データを変調させ、前記表示部の前記通信データを出力する画素において、輝度が最大の画像を表示させる
ことを特徴とする請求項１に記載の通信装置。
【請求項９】
画像を表示する表示部を有し、通信データを出力する通信装置の通信方法であって、
前記表示部の任意の画素における、前記通信データを用いた画像データの変調を制御する変調制御ステップと、
前記任意の画素における、前記変調制御ステップの処理により制御されて変調された前記画像データに対応する画像の表示を制御し、前記画像を表示させるとともに前記通信データを光情報として出力させる表示制御ステップと
を含むことを特徴とする通信方法。
【請求項１０】
通信データを出力する処理をコンピュータに行わせるプログラムにおいて、
表示部の任意の画素における、前記通信データを用いた画像データの変調を制御する変調制御ステップと、
前記任意の画素における、前記変調制御ステップの処理により制御されて変調された前記画像データに対応する画像の表示を制御し、前記画像を表示させるとともに前記通信データを光情報として出力させる表示制御ステップと
をコンピュータに実行させることを特徴とするプログラム。
【請求項１１】
他の通信装置より出力された光情報を受光する受光手段と、
前記受光手段により受光された前記光情報を復調し、前記光情報に含まれる通信データを抽出する抽出手段と
を備えることを特徴とする通信装置。
【請求項１２】
前記抽出手段により抽出された複数の前記通信データを合成し、１つの前記通信データを生成する合成手段をさらに備え、
前記受光手段は、前記他の装置の複数の画素より出力された複数の前記光情報を互いに異なる画素において受光し、
前記抽出手段は、前記受光手段により受光された前記複数の光情報のそれぞれより前記通信データを抽出し、
前記合成手段は、前記抽出手段により互いに異なる前記光情報より抽出された、複数の前記通信データを合成し、１つの前記通信データを生成する
ことを特徴とする請求項１１に記載の通信装置。
【請求項１３】
前記受光手段による前記受光の動作周波数は、前記他の通信装置の動作周波数の２倍以上である
ことを特徴とする請求項１１に記載の通信装置。
【請求項１４】
前記他の通信装置の動作タイミングに応じて、前記受光手段による前記受光の動作タイミングを調整する調整手段をさらに備える
ことを特徴とする請求項１１に記載の通信装置。
【請求項１５】
前記受光手段により受光された前記光情報に基づいて、前記他の装置の表示部における、前記光情報の出力位置を特定する特定手段をさらに備える
ことを特徴とする請求項１１に記載の通信装置。
【請求項１６】
他の通信装置より出力された光情報の受光を制御する受光制御ステップと、
前記受光制御ステップの処理により制御されて受光された前記光情報を復調し、前記光情報に含まれる通信データを抽出する抽出ステップと
を含むことを特徴とする通信方法。
【請求項１７】
通信データを受信する処理をコンピュータに行わせるプログラムにおいて、
他の通信装置より出力された光情報の受光を制御する受光制御ステップと、
前記受光制御ステップの処理により制御されて受光された前記光情報を復調し、前記光情報に含まれる通信データを抽出する抽出ステップと
をコンピュータに実行させることを特徴とするプログラム。
【請求項１８】
画像を表示する表示部を有し、通信データを送信する第１の通信装置と、光情報を受光する受光部を有し、前記通信データを受信する第２の通信装置とを備える通信システムであって、
前記第１の通信装置は、前記表示部の任意の画素において、画像データを前記通信データにより変調し、変調した前記画像データに対応する画像を表示するように前記表示部を制御して、前記画像を表示させるとともに前記通信データを光情報として出力させ、
前記第２の通信装置は、前記受光部の任意の画素において、前記第１の通信装置より出力された光情報を受光し、受光した前記光情報を復調し、前記光情報に含まれる前記通信データを抽出する
ことを特徴とする通信システム。
【請求項１９】
前記第１の通信装置は、前記表示部の各画素を線順次で動作させ、各画素において前記画像を表示するとともに前記通信データを光情報として出力し、
前記第２の通信装置は、前記受光部の各画素を線順次で動作させ、各画素において互いに異なる光情報を受光する
ことを特徴とする請求項１８に記載の通信システム。
【請求項２０】
前記第１の通信装置および前記第２の通信装置は、互いに同じ同期信号に基づいて動作する
ことを特徴とする請求項１８に記載の通信システム。
【請求項２１】
前記第１の通信装置および前記第２の通信装置は、互いに独立した同期信号に基づいて動作する
ことを特徴とする請求項１８に記載の通信システム。
【請求項２２】
前記第２の通信装置は、前記第１の通信装置による前記光情報の出力タイミングを計測し、前記受光のタイミングを調整する
ことを特徴とする請求項１８に記載の通信システム。
【請求項２３】
前記第２の通信装置は、前記第１の通信装置の動作周波数の２倍以上の周波数の同期信号に基づいて動作する
ことを特徴とする請求項１８に記載の通信システム。
【発明の詳細な説明】
【技術分野】
【０００１】
本発明は、通信装置および方法、プログラム、並びに通信システムに関し、特に、単位時間に、より複雑で、かつ、より多量の情報を、より正確に処理することができるようにした通信装置および方法、プログラム、並びに通信システムに関する。
【背景技術】
【０００２】
従来、画像を表示する画像表示装置において、画像表示装置のディスプレイを構成する各画素は、図１に示されるように、各画素に割り当てられて供給された画像データ（輝度データ）に基づいて、発光素子を発光させる。
【０００３】
図１において、表示部２０は、表示制御部１０に制御されて動作している。表示制御部１０は、画像データ出力部１１およびスイッチ制御部１２を有しており、画像データ出力部１１は、表示制御部１０の外部より供給されるクロックに同期して、表示制御部１０の外部より供給される画像データを処理して表示部２０に供給するとともに、スイッチ制御部１２を制御し、画像データを各画素に割り当てて供給することができるように、表示部２０に含まれるスイッチ回路を制御する制御信号を表示部２０に供給させる。
【０００４】
表示部２０は、画素が１００行１００列の行列状（マトリクス状）に配置されており、例えば、ｉ列目においては、１行目の画素２１−１、２行目の画素２１−２、・・・，ｊ行目の画素２１−ｊ、（ｊ＋１）行目の画素２１−（ｊ＋１）、・・・，１００行目の画素２１−１００のように図中上から順に配置されている。
【０００５】
例えば、ｊ行ｉ列目の画素２１−ｊは、供給された画像データを蓄積するキャパシタＰ（ｉ，ｊ）、供給された画像データのキャパシタＰ（ｉ，ｊ）への供給を制御するスイッチ回路ＳＷ（ｉ，ｊ）、および、キャパシタＰ（ｉ，ｊ）に蓄積された画像データを光として出力する発光素子ＥＬ（ｉ，ｊ）により構成される。スイッチ回路ＳＷ（ｉ，ｊ）は、スイッチ制御部１２より信号線２３−ｊを介して供給された行毎の制御データＧ（ｊ）に制御され、画像データ出力部１１より信号線２２を介してｉ列目の画素に対して供給された画像データＤ（ｉ）より、画素２１−ｊに対する部分を抽出し、キャパシタＰ（ｉ，ｊ）に供給する。キャパシタＰ（ｉ，ｊ）は、その画像データを電荷として蓄積した後、その電荷を発光素子ＥＬ（ｉ，ｊ）に供給し、発光素子ＥＬ（ｉ，ｊ）は、その電荷により発光する。
【０００６】
表示部２０は、各画素において同様に動作することにより、画像データに対応する画像を表示する。このようなスイッチ制御部１２より各画素のスイッチ回路に供給される行毎の制御データＧ（ｊ）は、図２に示されるように、画像データの垂直同期信号Ｖsyncに同期している。すなわち、垂直同期信号Ｖsyncの１周期である垂直期間Ｖ（波形３１のパルス部分３１Ａの立ち上がりのタイミングからパルス部分３１Ｂの立ち上がりのタイミングまでの期間）において、制御データＧ（１）乃至Ｇ（１００）（波形３２乃至波形３６）は、互いに異なるタイミングにおいて、１つずつパルス部分（３２Ａ乃至３６Ａ）を有しており、そのパルス部分の期間だけ各画素のスイッチ回路ＳＷをＯＮするようになされている。すなわち、画像データＤ（ｉ）は、ｉ列の各画素に対応する画像データが順番に並べられているので、制御データＧ（１）乃至Ｇ（１００）は、各スイッチ回路が、各制御信号に基づいて（パルス部分３２Ａ乃至３６Ａにより）、その画像データＤ（ｉ）より、必要な部分のみを抽出するようになされている。
【０００７】
このようにしてキャパシタＰ（ｉ，１）乃至Ｐ（ｉ，１００）には、波形４２乃至波形４６に示されるように垂直期間Ｖの間に１回ずつ電荷が蓄積される（パルス部分４２Ａ乃至４６Ａ）。この蓄積された電荷により、各画素の発光素子ＥＬも、画像データの垂直同期信号Ｖsyncに同期し、垂直期間Ｖの間に１回ずつ発光する。すなわち、ある画素が表示するデータは、一画面の走査が終わり、次の情報が送られてくるまで一定であり、変化しない。すなわち、Ｇ（１）がＯＮしてから一画面分描画した後、再びＧ（１）がＯＮされるまでの時間を１Ｖとすると、各画素は１Ｖの間隔でデータを書き換えられていく（画像データの垂直同期信号Ｖsyncに同期している）。実際に発光している時間は１Ｖよりも短い（パルス部分４２Ａ乃至４６Ａ）が、いずれにしても各画素が表示する情報は１Ｖの間変化しない。
【０００８】
すなわち、各画素において出力されるデータ量は、画像データの垂直同期の時間間隔によって制限されている。画面に表示されるデータ量を増やすには垂直同期の間隔を狭める事が必要であるが、画素の応答性やシステムの周波数特性により現状から大きく改善することは難しい。
【０００９】
これに対して、LEDを用いた表示装置において、LEDを発光させることにより第１の情報を提供するとともに、LEDを人の目で判断できない高速で点滅させることにより、画面全体を点滅させて光通信を行い、第２の情報を送信する方法がある（例えば、特許文献１参照）。
【００１０】
【特許文献１】特開２００２-２０２７４１号公報
【発明の開示】
【発明が解決しようとする課題】
【００１１】
しかしながら、以上のような方法の表示装置の場合、画面全体を点滅させることにより第２の情報を出力するものであり、第２の情報として、複数の情報を同時に、画面内の複数箇所から出力するようなことができないという課題があった。例えば、特許文献１には、制限時速を示す「７０」を第１の情報として表示すると共に、その「７０」の表示全体を高速に点滅させることにより、音声データを含むフレームデータを第２の情報として出力する道路標識の例が記載されているが、この場合、第２の情報として複数の情報を出力するためには、それらの複数の情報を１つのデータとしてまとめて出力するしかなかった。
【００１２】
また、このような表示装置は、単純に第２の情報を出力するだけであり、例えば、その第２の情報の画面内における出力位置に意味を持たせ、この出力位置に応じて、第１の情報として出力される情報と関連付ける等のような、複雑な出力処理を行うことができないという課題があった。
【００１３】
さらに、例えば、このような表示装置より出力された第２の情報を、線順次動作により光電変換を行うCCD（Charge Coupled Device）により受光する場合、受光するタイミングが画素毎に異なり、CCD全体で得られた情報が、表示装置より出力された情報と異なってしまい、正確に第２の情報を検出することができない場合があるという課題があった。
【００１４】
本発明はこのような状況に鑑みてなされたものであり、単位時間に、より複雑で、かつ、より多量の情報を、より正確に処理することができるようにするものである。
【課題を解決するための手段】
【００１５】
本発明の第１の通信装置は、表示部の任意の画素において、画像データを通信データにより変調する変調手段と、任意の画素において、変調手段により変調された画像データに対応する画像を表示するように表示部を制御し、画像を表示させるとともに通信データを光情報として出力させる表示制御手段とを備えることを特徴とする。
【００１６】
前記変調手段は、表示部の複数の画素において、同じ通信データを用いて画像データを変調し、表示制御手段は、表示部を制御し、同じ通信データを複数の画素より出力させることができる。
【００１７】
前記変調手段は、表示部の複数の画素の各画素において、互いに異なる通信データを用いて画像データを変調し、表示制御手段は、表示部を制御し、互いに異なる通信データを複数の画素より出力させ、１画面分の画像に対応して、複数の通信データを互いに異なる画素より出力させることができる。
【００１８】
前記変調手段は、表示部の複数の画素において、１つの通信データの互いに異なる部分を用いて画像データを変調し、表示制御手段は、表示部を制御し、１つの通信データの各部分を、複数の画素の各画素より出力させることができる。
【００１９】
前記変調手段により変調された画像データの輝度値の平均値を調整する平均値調整手段をさらに備えることができる。
【００２０】
前記平均値調整手段は、変調手段による変調に用いられる通信データのデューティサイクルを調整することができる。
【００２１】
前記通信データの振幅を制御する振幅制御手段をさらに備えることができる。
【００２２】
前記表示制御手段は、表示部を制御し、変調手段に輝度が最大の画像データを変調させ、表示部の通信データを出力する画素において、輝度が最大の画像を表示させることができる。
【００２３】
本発明の第１の通信方法は、表示部の任意の画素における、通信データを用いた画像データの変調を制御する変調制御ステップと、任意の画素における、変調制御ステップの処理により制御されて変調された画像データに対応する画像の表示を制御し、画像を表示させるとともに通信データを光情報として出力させる表示制御ステップとを含むことを特徴とする。
【００２４】
本発明の第１のプログラムは、表示部の任意の画素における、通信データを用いた画像データの変調を制御する変調制御ステップと、任意の画素における、変調制御ステップの処理により制御されて変調された画像データに対応する画像の表示を制御し、画像を表示させるとともに通信データを光情報として出力させる表示制御ステップとを含むことを特徴とする。
【００２５】
本発明の第２の通信装置は、他の通信装置より出力された光情報を受光する受光手段と、受光手段により受光された光情報を復調し、光情報に含まれる通信データを抽出する抽出手段とを備えることを特徴とする。
【００２６】
前記抽出手段により抽出された複数の通信データを合成し、１つの通信データを生成する合成手段をさらに備え、受光手段は、他の装置の複数の画素より出力された複数の光情報を互いに異なる画素において受光し、抽出手段は、受光手段により受光された複数の光情報のそれぞれより通信データを抽出し、合成手段は、抽出手段により互いに異なる光情報より抽出された、複数の通信データを合成し、１つの通信データを生成することができる。
【００２７】
前記受光手段による受光の動作周波数は、他の通信装置の動作周波数の２倍以上であるようにすることができる。
【００２８】
前記他の通信装置の動作タイミングに応じて、受光手段による受光の動作タイミングを調整する調整手段をさらに備えることができる。
【００２９】
前記受光手段により受光された光情報に基づいて、他の装置の表示部における、光情報の出力位置を特定する特定手段をさらに備えることができる。
【００３０】
本発明の第２の通信方法は、他の通信装置より出力された光情報の受光を制御する受光制御ステップと、受光制御ステップの処理により制御されて受光された光情報を復調し、光情報に含まれる通信データを抽出する抽出ステップとを含むことを特徴とする。
【００３１】
本発明の第２のプログラムは、他の通信装置より出力された光情報の受光を制御する受光制御ステップと、受光制御ステップの処理により制御されて受光された光情報を復調し、光情報に含まれる通信データを抽出する抽出ステップとを含むことを特徴とする。
【００３２】
本発明の通信システムは、画像を表示する表示部を有し、通信データを送信する第１の通信装置と、光情報を受光する受光部を有し、通信データを受信する第２の通信装置とを備える通信システムであって、第１の通信装置は、表示部の任意の画素において、画像データを通信データにより変調し、変調した画像データに対応する画像を表示するように表示部を制御して、画像を表示させるとともに通信データを光情報として出力させ、第２の通信装置は、受光部の任意の画素において、第１の通信装置より出力された光情報を受光し、受光した光情報を復調し、光情報に含まれる通信データを抽出することを特徴とする。
【００３３】
前記第１の通信装置は、表示部の各画素を線順次で動作させ、各画素において画像を表示するとともに通信データを光情報として出力し、第２の通信装置は、受光部の各画素を線順次で動作させ、各画素において互いに異なる光情報を受光することができる。
【００３４】
前記第１の通信装置および第２の通信装置は、互いに同じ同期信号に基づいて動作することができる。
【００３５】
前記第１の通信装置および第２の通信装置は、互いに独立した同期信号に基づいて動作することができる。
【００３６】
前記第２の通信装置は、第１の通信装置による光情報の出力タイミングを計測し、受光のタイミングを調整することができる。
【００３７】
前記第２の通信装置は、第１の通信装置の動作周波数の２倍以上の周波数の同期信号に基づいて動作することができる。
【００３８】
本発明の第１の通信装置および方法、並びにプログラムにおいては、表示部の任意の画素において、画像データが通信データにより変調され、その変調された画像データに対応する画像を表示するように表示部が制御され、画像が表示されるとともに通信データが光情報として出力される。
【００３９】
本発明の第２の通信装置および方法、並びにプログラムにおいては、他の通信装置より出力された光情報が受光され、その受光された光情報が復調されて、光情報に含まれる通信データが抽出される。
【００４０】
本発明の通信システムの第１の通信装置においては、表示部の任意の画素において、画像データが通信データにより変調され、その変調された画像データに対応する画像を表示するように表示部が制御されて、画像が表示されるとともに通信データが光情報として出力され、第２の通信装置においては、受光部の任意の画素において、第１の通信装置より出力された光情報が受光され、受光された光情報が復調され、光情報に含まれる通信データが抽出される。
【発明の効果】
【００４１】
本発明によれば、情報を出力することができる。特に、単位時間に、より複雑で、かつ、より多量の情報を、より正確に処理することができる。
【発明を実施するための最良の形態】
【００４２】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４３】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定したりするものではない。
【００４４】
本発明においては、画像を表示する表示部（例えば、図３の表示部７７）を有し、通信データ（例えば、図４のＶｍｏｄ（ｉ））を出力する通信装置（例えば、図３の画像表示装置５０）が提供される。この通信装置は、表示部の任意の画素（例えば、図４の画素１０１−１乃至画素１０１−１００）において、画像データ（例えば、図４のＤ（ｉ））を通信データにより変調する変調手段（例えば、図４の変調用スイッチ回路ＳＷｍ（ｉ，１）乃至変調用スイッチ回路ＳＷｍ（ｉ，１００））と、任意の画素において、変調手段により変調された画像データに対応する画像を表示するように表示部を制御し、画像を表示させるとともに通信データを光情報として出力させる表示制御手段（例えば、図３の表示制御部７６）とを備える。
【００４５】
前記変調手段は、表示部の複数の画素において、同じ通信データを用いて画像データを変調し、表示制御手段は、表示部を制御し、同じ通信データを複数の画素より出力させる（例えば、図１７のＶｍｏｄ（１）乃至Ｖｍｏｄ（１０））ようにすることができる。
【００４６】
前記変調手段は、表示部の複数の画素の各画素において、互いに異なる通信データを用いて画像データを変調し、表示制御手段は、表示部を制御し、互いに異なる通信データを複数の画素より出力させ、１画面分の画像に対応して、複数の通信データを互いに異なる画素より出力させる（例えば、図１７のＶｍｏｄ（１１）とＶｍｏｄ（１２））ようにすることができる。
【００４７】
前記変調手段は、表示部の複数の画素において、１つの通信データの互いに異なる部分を用いて画像データを変調し、表示制御手段は、表示部を制御し、１つの通信データの各部分を、複数の画素の各画素より出力させる（例えば、図５のパルス部分１６２Ａ乃至パルス部分１６５Ａ）ようにすることができる。
【００４８】
前記変調手段により変調された画像データの輝度値の平均値（例えば、図１０の信号３７３で示されるAve（Pm（ｉ，１））の高さ）を調整する平均値調整手段（例えば、図９の平均値調整部３６１）をさらに備えるようにすることができる。
【００４９】
前記平均値調整手段は、変調手段による変調に用いられる通信データのデューティサイクル（例えば、図１０の信号３７０のDuty）を調整する（例えば、図１１のステップＳ３９）ようにすることができる。
【００５０】
前記通信データの振幅を制御する振幅制御手段（例えば、図１３の抵抗Ｒ１および抵抗Ｒ２）をさらに備えるようにすることができる。
【００５１】
前記表示制御手段は、表示部を制御し、変調手段に輝度が最大の画像データを変調させ、表示部の通信データを出力する画素において、輝度が最大の画像を表示させる（例えば、図１７の画素６１１乃至画素６１４に示される受光窓）ようにすることができる。
【００５２】
本発明においては、画像を表示する表示部（例えば、図３の表示部７７）を有し、通信データ（例えば、図４のＶｍｏｄ（ｉ））を出力する通信装置（例えば、図３の画像表示装置５０）の通信方法が提供される。この通信方法は、表示部の任意の画素（例えば、図４の画素１０１−１乃至画素１０１−１００）における、通信データを用いた画像データ（例えば、図４のＤ（ｉ））の変調を制御する変調制御ステップ（例えば、図６のステップＳ７）と、任意の画素における、変調制御ステップの処理により制御されて変調された画像データに対応する画像の表示を制御し、画像を表示させるとともに通信データを光情報として出力させる表示制御ステップ（例えば、図６のステップＳ８）とを含む。
【００５３】
本発明においては、通信データ（例えば、図４のＶｍｏｄ（ｉ））を出力する処理をコンピュータ（例えば、図３の画像表示装置５０）に行わせるプログラムが提供される。このプログラムは、表示部（例えば、図３の表示部７７）の任意の画素（例えば、図４の画素１０１−１乃至画素１０１−１００）における、通信データを用いた画像データの変調を制御する変調制御ステップ（例えば、図６のステップＳ７）と、任意の画素における、変調制御ステップの処理により制御されて変調された画像データに対応する画像の表示を制御し、画像を表示させるとともに通信データを光情報として出力させる表示制御ステップ（例えば、図６のステップＳ８）とを含む。
【００５４】
本発明においては、通信装置（例えば、図２２の受光装置７００）が提供される。この通信装置は、他の通信装置（例えば、図３の画像表示装置５０）より出力された光情報を受光する受光手段（例えば、図２０に示される光電変換部６６２）と、受光手段により受光された光情報を復調し、光情報に含まれる通信データを抽出する抽出手段（例えば、図２２のCPU７１１）とを備える。
【００５５】
前記抽出手段により抽出された複数の通信データを合成し、１つの通信データを生成する合成手段（例えば、図２３のステップＳ６５の処理を実行する図２２のCPU７１１）をさらに備え、受光手段は、他の装置の複数の画素より出力された複数の光情報を互いに異なる画素において受光し（例えば、図２３のステップＳ６２）、抽出手段は、受光手段により受光された複数の光情報のそれぞれより通信データを抽出し（例えば、図２３のステップＳ６４）、合成手段は、抽出手段により互いに異なる光情報より抽出された、複数の通信データを合成し、１つの通信データを生成する（例えば、図２３のステップＳ６５）ようにすることができる。
【００５６】
前記他の通信装置の動作タイミングに応じて、受光手段による受光の動作タイミングを調整する調整手段（例えば、図２３のステップＳ６１の処理を実行する動作制御部７２５）をさらに備えるようにすることができる。
【００５７】
前記受光手段により受光された光情報に基づいて、他の装置の表示部における、光情報の出力位置を特定する特定手段（例えば、図２２のCPU７１１）をさらに備えるようにすることができる。
【００５８】
本発明においては、通信方法が提供される。この通信方法は、他の通信装置（例えば、図３の画像表示装置５０）より出力された光情報の受光を制御する受光制御ステップ（例えば、図２３のステップＳ６２）と、受光制御ステップの処理により制御されて受光された光情報を復調し、光情報に含まれる通信データを抽出する抽出ステップ（例えば、図２３のステップＳ６４）とを含む。
【００５９】
本発明においては、プログラムが提供される。このプログラムは、通信データを受信する処理をコンピュータに行わせるプログラムにおいて、他の通信装置（例えば、図３の画像表示装置５０）より出力された光情報の受光を制御する受光制御ステップ（例えば、図２３のステップＳ６２）と、受光制御ステップの処理により制御されて受光された光情報を復調し、光情報に含まれる通信データを抽出する抽出ステップ（例えば、図２３のステップＳ６４）とを含む。
【００６０】
本発明においては、画像を表示する表示部（例えば、図３の表示部７７）を有し、通信データ（例えば、図４のＶｍｏｄ（ｉ））を送信する第１の通信装置（例えば、図３の画像表示装置５０）と、光情報を受光する受光部（例えば、図２０に示される光電変換部６６２）を有し、通信データを受信する第２の通信装置（例えば、図２２の受光装置７００）とを備える通信システム（例えば、図２０の通信システム６５０）が提供される。第１の通信装置は、表示部の任意の画素（例えば、図４の画素１０１−１乃至画素１０１−１００）において、画像データ（例えば、図４のＤ（ｉ））を通信データにより変調し（例えば、図６のステップＳ７）、変調した画像データに対応する画像を表示するように表示部を制御して、画像を表示させるとともに通信データを光情報として出力させ（例えば、図６のステップＳ８）、第２の通信装置は、受光部の任意の画素において、第１の通信装置より出力された光情報を受光し（例えば、図２３のステップＳ６２）、受光した光情報を復調し、光情報に含まれる通信データを抽出する（例えば、図２３のステップＳ６４）。
【００６１】
前記第１の通信装置は、表示部の各画素を線順次で動作させ、各画素において画像を表示するとともに通信データを光情報として出力し（例えば、図２６の信号８１１乃至信号８１３）、第２の通信装置は、受光部の各画素を線順次で動作させ、各画素において互いに異なる光情報を受光する（例えば、図２６の信号８２１乃至信号８２３）ようにすることができる。
【００６２】
前記第２の通信装置は、第１の通信装置による光情報の出力タイミングを計測し、受光のタイミングを調整する（例えば、図２３のステップＳ６１）ようにすることができる。
【００６３】
以下に、本発明の実施の形態について図面を参照して説明する。
【００６４】
図３は、本発明を適用した画像表示装置の構成例を示すブロック図である。
【００６５】
図３において、画像表示装置５０は、外部より供給された画像データに対応する画像をディスプレイに表示させるとともに、外部より供給された変調データにより画像データを変調することにより、ディスプレイにおいて表示された画像以外の情報を出力する装置である。
【００６６】
図３において、画像表示装置５０のCPU（Central Processing Unit）６１は、ROM（Read Only Memory）６２に記憶されているプログラムやデータ、または記憶部７３からRAM（Random Access Memory）６３にロードされたプログラムやデータに従って各種の処理を実行し、画像表示装置５０の全体を制御する。
【００６７】
CPU６１、ROM６２、およびRAM６３は、バス６４を介して相互に接続されている。このバス６４にはまた、入出力インタフェース７０も接続されている。
【００６８】
入出力インタフェース７０には、キーボード、マウスなどを含み、ユーザ等からの入力を受け付ける入力部７１、スピーカ等を含み、画像データに含まれる音声データ等を出力する出力部７２、ハードディスクなどより構成され、CPU６１等において実行されるプログラムやデータ等を記憶する記憶部７３が接続されている。
【００６９】
また、入出力インタフェース７０には、画像表示装置５０の外部より供給される画像データおよび変調データの入力を受け付ける通信制御部７４が接続されている。通信制御部７４は、変調データを受け付ける変調データ入力部８１、および画像データを受け付ける画像データ入力部８２を有している。変調データ入力部８１は、バッファメモリ等を有し、供給された変調データを蓄積し、その変調データを、例えば、フレーム単位等、所定のデータ量毎に表示制御部７６に供給する。同様に、画像データ入力部８２は、バッファメモリ等を有し、供給された画像データを蓄積し、その画像データを、例えば、フレーム単位等、所定のデータ量毎に表示制御部７６に供給する。また、通信制御部７４は、供給された画像データに音声データ等が含まれている場合、そのデータを抽出し、入出力インタフェース７０を介して出力部７２に供給する。
【００７０】
入出力インタフェース７０には、さらに、表示制御部７６の動作タイミングを制御する動作タイミング制御部７５、表示部７７の動作を制御する表示制御部７６、並びに、LCD(Liquid Crystal Display)を含む表示部７７が接続されている。
【００７１】
動作タイミング制御部７５は、水晶振動子やPLL（Phase Locked Loop）回路等を含み、入出力インタフェース７０を介してCPU６１に制御され、水平同期信号や垂直同期信号等の、所定の周波数のクロック信号を発生し、そのクロック信号を表示制御部７６に供給する。
【００７２】
表示制御部７６は、画像データ出力部１１およびスイッチ制御部１２の他に、変調データ出力部９１を有している。画像データ出力部１１は、通信制御部７４の画像データ入力部８２より供給された画像データを取得すると、後述するように、表示部７７の各画素に画像データを供給できるように画像データを処理し、動作タイミング制御部７５より供給される垂直同期信号に同期して、その処理された画像データを表示部７７に供給する。スイッチ制御部１２は、画像データ出力部１１に制御され、表示部７７において画像データを各画素に分配することができるように、画像データの水平同期信号に同期して表示部７７に含まれるスイッチ回路を制御する制御信号を表示部７７に供給する。変調データ出力部９１は、通信制御部７４の変調データ入力部８１より変調データを取得すると、後述するように、表示部７７の各画素において画像データを変調することができるように変調データを処理し、動作タイミング制御部７５より供給されるクロック信号に同期して、その処理された変調データを表示部７７に供給する。
【００７３】
表示部７７の詳細な構成例については、図４を参照して後述する。
【００７４】
入出力インタフェース７０にはまた、必要に応じてドライブ７８が接続され、磁気ディスク、光ディスク、光磁気ディスク、或いは半導体メモリなどのリムーバブルメディア７９が適宜装着され、それらから読み出されたコンピュータプログラムが、必要に応じて記憶部７３にインストールされる。
【００７５】
図４は、図１の表示部７７の詳細な構成例を示す図である。
【００７６】
表示部７７を構成するLCDの各画素は、１００行１００列の行列状（マトリクス状）に配置されており、図４においては、それらの画素の一部が示されている。すなわち、図４においては、第ｉ列の一部の画素である、第１行目の画素１０１−１、第２行目の画素１０１−２、第ｊ行目の画素１０１−ｊ、第（ｊ＋１）行目の画素１０１−（ｊ＋１）、および、第１００行目の画素１０１−１００が示されている。
【００７７】
各画素は、基本的に同様の構成であるので、以下において、必要でない場合、第ｊ行第ｉ列の画素１０１−ｊについてのみ説明する。その他の画素については、必要に応じて、異なる部分のみ説明する。
【００７８】
画素１０１−ｊは、従来のLCDの画素と同様のスイッチ回路ＳＷ（ｉ，ｊ）、キャパシタＰ（ｉ，ｊ）、および発光素子ＥＬ（ｉ，ｊ）の他に、キャパシタＰ（ｉ，ｊ）の出力を制御し、画像データを変調させる変調用スイッチ回路ＳＷｍ（ｉ，ｊ）により構成される。
【００７９】
スイッチ回路ＳＷ（ｉ，ｊ）は、表示制御部７６のスイッチ制御部１２より供給される制御データＧ（ｊ）により制御され、画像データ出力部１１より供給される画像データＤ（ｉ）より、画素１０１−ｊに対応する画像データを選択し、キャパシタＰ（ｉ，ｊ）に供給するスイッチ回路である。
【００８０】
制御データＧ（ｊ）は、第ｊ行目の画素のスイッチ回路ＳＷの動作を行単位で制御するための信号である。表示制御部７６のスイッチ制御部１２は、動作タイミング制御部７５より供給されるクロック信号に基づいて、表示部７７の画素のマトリクスに対して、信号線１０３−１乃至信号線１０３−１００を用いて、第１行目乃至第１００行目のそれぞれに対する１００個の制御データＧ（１）乃至Ｇ（１００）を供給し、各画素のスイッチ回路ＳＷを行毎に制御する。例えば、スイッチ制御部１２は、表示部７７の第ｊ行目の第１列目乃至第１００列目の画素のスイッチ回路ＳＷの制御端子に対して、信号線１０３−ｊを介して、制御データＧ（ｊ）を供給する。
【００８１】
画像データＤ（ｉ）は、第ｉ列目の画素のスイッチ回路ＳＷ供給される画像データである。表示制御部７６の画像データ出力部１１は、動作タイミング制御部７５より供給されるクロック信号に基づいて、表示部７７の画素のマトリクスに対して、第１列目乃至第１００列目のそれぞれに対する１００個の画像データＤ（１）乃至Ｄ（１００）を、互いに異なる信号線を用いて供給する。例えば、画像データ出力部１１は、表示部７７の第ｉ列目の第１行目乃至第１００行目の画素１０１−１乃至１０１−１００のスイッチ回路ＳＷ（ｉ，１）乃至ＳＷ（ｉ，１００）の入力端子に対して、信号線１０２を介して、画像データＤ（ｉ）を供給する。
【００８２】
画像データＤ（ｉ）は、第１行目の画素１０１−１に供給する画像データから、第１００行目の画素１０１−１００に供給する画像データまでの１００個の画像データが所定の順序で直列に並べられた状態で順番に表示部７７に供給される。制御データＧ（１）乃至Ｇ（１００）は、その画像データの順序に対応した順序で順番に表示部７７に供給される。そして、第ｉ列の各行のスイッチ回路ＳＷ（１）乃至ＳＷ（１００）は、それぞれ、制御データＧ（１）乃至Ｇ（１００）により画像データの並びと対応した所定の順序で制御され、供給された画像データＤ（ｉ）の、その行に対応する部分においてON状態にされ、その部分の画像データを抽出してキャパシタＰ（１）乃至Ｐ（１００）に供給し、それ以外の部分においてはOFF状態にされ、キャパシタＰ（１）乃至Ｐ（１００）への画像データの供給を停止する。
【００８３】
すなわち、画像データ出力部１１は、表示部７７のマトリクスの各列に対して、画像データＤ（ｉ）を、行毎に順番に１つずつ、水平同期信号に同期して供給する。このとき、画像データ出力部１１が全ての行に対する画像データを供給する時間が、垂直同期信号の１周期となる。また、スイッチ制御部１２は、表示部７７のマトリクスの各行に対して、全列のスイッチ回路ＳＷを制御する制御データＧを水平同期信号に同期して順番に１つずつ供給する。このとき、スイッチ制御部１２が全ての行に対する制御データＧを供給する時間が、垂直同期信号の１周期となる。
【００８４】
キャパシタＰ（ｉ，ｊ）は、以上のようにスイッチ回路ＳＷ（ｉ，ｊ）において選択された画像データを電荷として蓄積する。キャパシタＰ（ｉ，ｊ）に蓄積された電荷は、変調用スイッチ回路ＳＷｍ（ｉ，ｊ）の入力端子に供給される。
【００８５】
変調用スイッチ回路ＳＷｍ（ｉ，ｊ）は、キャパシタＰ（ｉ，ｊ）より供給される電荷、すなわち、画素１０１−ｊの画像データを変調するためのスイッチ回路である。変調用スイッチ回路ＳＷｍ（ｉ，ｊ）は、表示制御部７６の変調データ出力部９１より信号線１１１を介して、制御端子に供給された制御信号Ｖｍｏｄ（ｉ）に基づいて、ON状態またはOFF状態を切り替えることにより、入力端子に供給された画像データを変調し、変調した画像データを出力端子より発光素子ＥＬ（ｉ，ｊ）に供給し、発光させる。
【００８６】
制御信号Ｖｍｏｄは、第１列目乃至第１００列目の各列に対する１００個の制御信号として表示部７７に供給される。すなわち、変調データ出力部９１は、第ｉ列目の画素１０１−１乃至画素１０１−１００に対して、同じ制御信号Ｖｍｏｄ（ｉ）を供給する。ただし、通常、各行のキャパシタＰ（ｉ，ｊ）において電荷が蓄積されるタイミングが異なるので、変調された画像データの全体の波形（すなわち、発光素子ＥＬに供給される信号の全体の波形）は、各行において異なるが、キャパシタＰ（ｉ，ｊ）に蓄積された電荷を変調して出力している変調用スイッチ回路ＳＷｍ間において、同一タイミングにおけるそれらの出力波形は同じになる。なお、変調データ出力部９１が各列に対して出力する１００個の制御信号Ｖｍｏｄの波形は、互いに独立しており、それらの制御信号Ｖｍｏｄの内、その一部または全部が同じ波形であってもよいし、全て互いに異なる波形であってもよい。
【００８７】
図５を参照して各素子の動作タイミングについて説明する。
【００８８】
表示制御部７６には、動作タイミング制御部７５より信号１３１のような垂直方向の周期を示す垂直同期信号Ｖｓｙｎｃが供給される。垂直同期信号Ｖｓｙｎｃは、表示部７７による画像の描画の、垂直方向の周期を示す信号であり、パルス部１３１Ａによって、その開始タイミングを示している。すなわち、パルス部１３１Ａ乃至パルス部１３１Ｂまでの期間が１周期（垂直期間Ｖ）を表している。
【００８９】
表示制御部７６の画像データ出力部１１、スイッチ制御部１２、および変調データ出力部９１は、この垂直同期信号Ｖｓｙｎｃに同期して動作する。上述したように、画像データ出力部１１より出力される画像データＤには、その列の１行目乃至１００行目の画素のそれぞれに対応する画像データが順に並べられている。すなわち、画像データＤは、図５に示される垂直同期信号Ｖｓｙｎｃの１周期の期間に、１行目乃至１００行目の画素のそれぞれに対応する画像データが順に並べられた信号となる。従って、スイッチ制御部１２は、図５の信号１３２乃至１３６に示されるように、供給された画像データＤから、その画素の画像データを抽出するタイミングを示すパルス部（例えば、パルス部１３２Ａ乃至１３６Ａ）のタイミングが互いにずれた制御データＧ（１）乃至Ｇ（１００）を各行に対して出力する。
【００９０】
この制御データＧのパルス部のタイミングにより、各画素のキャパシタＰには、供給された画像データＤの内、その画素に対応する部分のみが蓄積される。各画素のキャパシタＰは、図５の信号１４２乃至１４６に示されるように、蓄積された画像データ（電荷）を、垂直期間Ｖを１周期として、所定の期間蓄積する。例えば、図５の信号１４２に示されるように、キャパシタＰ（ｉ，１）は、制御データＧ（１）のパルス部１３２Ａのタイミングに合わせて電荷を蓄積し、それを所定の期間１４２Ａの間保持し、後述する変調用スイッチ回路ＳＷｍのスイッチング動作に応じて、その電荷を出力する。そして、キャパシタＰ（ｉ，１）は、次の制御データＧ（１）のパルス部１３２Ａのタイミングに合わせて電荷を蓄積し、保持する。
【００９１】
変調用スイッチ回路ＳＷｍには、図５の信号１５０に示されるような変調データＶｍｏｄが供給される。変調用スイッチ回路ＳＷｍは、この変調データＶｍｏｄに基づいて、キャパシタＰに蓄積された画像データ（電荷）を変調し、発光素子ＥＬに供給する。すなわち、発光素子ＥＬに供給される変調されたキャパシタＰの出力Ｐｍは、図５の信号１６２乃至信号１６６のような波形になり、信号１４２乃至１４６のパルス部分１４２Ａ乃至１４６Ａがそれぞれ信号１５０により変調され、パルス部分１６２Ａ乃至１６６Ａのようになる。例えば、変調されたキャパシタＰの出力Ｐｍ（ｉ，１）は、変調データＶｍｏｄの垂直期間Ｖに対応する部分１５１の内、パルス部分１４２Ａに対応する部分１５２により変調される。すなわち、各画素のキャパシタＰの出力は、行ごとに、変調データＶｍｏｄの互いに異なる部分により変調されるが、同一のタイミングにおいては同じ変調データにより変調されており、これら全ての出力を合成することにより、元の変調データＶｍｏｄを抽出することができるようになされている。
【００９２】
図６のフローチャートを参照して、図３の画像表示装置５０による表示制御処理について説明する。
【００９３】
最初に、画像表示装置５０の通信制御部７４において、画像データ入力部８２は、ステップＳ１において、画像表示装置５０の外部より供給される画像データを受け付け、取得した画像データを表示制御部７６の画像データ出力部１１に供給する。また、通信制御部７４の変調データ入力部８１は、ステップＳ２において、画像表示装置５０の外部より供給される変調データを受け付け、取得した変調データを表示制御部７６の変調データ出力部９１に供給する。
【００９４】
ステップＳ３において、画像データ出力部１１は、画像データ入力部８２より供給される画像データに基づいて、画像データが入力されたか否かを判定し、入力されたと判定した場合、ステップＳ４に処理を進め、動作タイミング制御部７５より供給される同期信号に基づくタイミングで、表示部７７の各画素に画像データを出力する。ステップＳ５において、スイッチ制御部１２は、画像データ出力部１１に制御されて、動作タイミング制御部７５より供給される同期信号に基づいて、画像データ出力部１１による画像データの出力のタイミングに合わせて、各画素のスイッチ回路を制御し、各画素のキャパシタにそれらの画像データを電荷として蓄積させる。
【００９５】
ステップＳ６において、変調データ出力部９１は、変調データ入力部８１より供給される変調データに基づいて、変調データが入力されたか否かを判定し、入力されたと判定した場合、ステップＳ７に処理を進め、動作タイミング制御部７５より供給される同期信号に基づくタイミングで、表示部７７の各画素に変調データを各画素の変調用スイッチ回路に供給し、その変調データにより変調用スイッチ回路の動作を制御して、キャパシタに蓄積されている画像データ（電荷）を変調する。
【００９６】
そして、ステップＳ８において表示部７７は、そのスイッチ回路の出力である変調済み画像データを各画素の発光素子に供給し、それぞれ発光させる。このようにすることにより、発光素子は、変調された画像データに対応する画像（すなわち、画像と変調データの内容の両方）を出力する。発光素子を発光させた表示部７７は、ステップＳ１０に処理を進める。
【００９７】
また、ステップＳ６において、変調データが入力されていないと判定した場合、表示部７７は、キャパシタに蓄積されている画像データを発光素子に供給して発光させる。この場合、発光素子は、画像データに対応する画像（すなわち、変調データを含まない、画像データに対応する画像のみ）を出力する。発光素子を発光させた表示部７７は、ステップＳ１０に処理を進める。
【００９８】
さらに、ステップＳ３において、画像データが入力されていないと判定した場合、CPU６１は、ステップＳ１０に処理を進める。
【００９９】
ステップＳ１０において、CPU６１は、表示制御処理を終了するか否かを判定し、終了しないと判定した場合、ステップＳ１に処理を戻し、それ以降の処理を繰り返す。また、ステップＳ１０において、表示制御処理を終了すると判定した場合、CPU６１は、ステップＳ１１において終了処理を行った後、表示制御処理を終了する。
【０１００】
以上のように画像データを各画素のキャパシタに電荷として蓄積させた後、その電荷を発光素子に供給させる際に、変調データが存在する場合には、キャパシタに蓄積されている画像データ（電荷）を変調してから発光素子に供給させることにより、表示部７７は、画像データに対応する画像だけでなく、変調データに含まれる内容の情報を出力することができる。従って、画像処理装置５０は、単位時間に、より複雑で、かつ、より多量の情報を、より正確に処理することができる。
【０１０１】
なお、各画素においてキャパシタＰの出力側に、その出力を制御するスイッチ回路を、変調用スイッチ回路ＳＷｍとは別に設けるようにしてももちろんよい。そのようなスイッチ回路により、画像表示装置５０は、例えば、キャパシタＰの出力端子を所定のタイミングで接地させ、画像データ（変調後の画像データでもよい）を発光素子ＥＬに供給する時間を制御することができ、画素間において発光素子ＥＬの発光時間を揃えたり、明るさのムラを抑制したりすることができる。また、このように発光素子ＥＬを発光させる時間を制御可能にすることにより、画像表示装置５０は、逆に発光素子ＥＬの発光時間を長くし、非発光時間を短くすることにより、１画素における単位時間に出力する変調データのデータ量を増加させることもできる。従って、画像処理装置５０は、単位時間に、より複雑で、かつ、より多量の情報を、より正確に処理することができる。
【０１０２】
なお以上において、変調データ出力部９１は、各画素の変調用スイッチを列（縦方向）毎に制御するように説明したが、これに限らず、例えば図７に示されるように、行（横方向）毎に制御するようにしてもよい。
【０１０３】
図７においては、表示部７７に含まれる画素の一部（画素２０１乃至画素２０６）が示されている。表示部７７において各画素は上述したように行列に配置されており、画素２０２は、ｊ行ｉ列目の画素を示している。画素２０２は、図４の場合と同様に、スイッチ回路ＳＷ（ｉ，ｊ）、キャパシタＰ（ｉ，ｊ）、変調用スイッチ回路ＳＷｍ（ｉ，ｊ）、発光素子ＥＬ（ｉ，ｊ）により構成される。なお、変調用スイッチ回路ＳＷｍ（ｉ，ｊ）と発光素子ＥＬ（ｉ，ｊ）は点Ｐｍ（ｉ，ｊ）を介して接続されている。その他の画素（例えば、画素２０１、並びに、画素２０３乃至２０６）の構成も同様であるので、その説明を省略する。
【０１０４】
図４の場合と同様に、画素２０２のスイッチ回路ＳＷ（ｉ，ｊ）は、スイッチ制御部１２より信号線２２１を介して供給される行毎の制御データＧ（ｊ）に基づいてオン動作およびオフ動作を行い、画像データ出力部１１より信号線２１２を介して供給される列毎の画像データＤ（ｉ）の内、画素２０２に対応する部分を抽出し、キャパシタＰ（ｉ，ｊ）に電荷として蓄積させる。
【０１０５】
画素２０２の変調用スイッチ回路ＳＷｍ（ｉ，ｊ）は、変調データ出力部９１より信号線２３１を介して供給される行毎の変調データＨｍｏｄ（ｊ）に基づいてオン動作およびオフ動作を行い、キャパシタＰ（ｉ，ｊ）に蓄積された画像データ（電荷）を変調し、その変調した画像データを、点Ｐｍ（ｉ，ｊ）を介して発光素子ＥＬ（ｉ，ｊ）に供給し、発光素子ＥＬ（ｉ，ｊ）を発光させる。
【０１０６】
その他の画素の場合も、画素２０２の場合と同様であり、例えば、画素２０１の変調用スイッチ回路ＳＷｍ（ｉ−１，ｊ）は、変調データ出力部９１より信号線２３１を介して供給される行毎の変調データＨｍｏｄ（ｊ）に基づいてオン動作およびオフ動作を行い、キャパシタＰ（ｉ−１，ｊ）に蓄積された画像データ（電荷）を変調し、画素２０３の変調用スイッチ回路ＳＷｍ（ｉ＋１，ｊ）は、変調データ出力部９１より信号線２３１を介して供給される行毎の変調データＨｍｏｄ（ｊ）に基づいてオン動作およびオフ動作を行い、キャパシタＰ（ｉ＋１，ｊ）に蓄積された画像データ（電荷）を変調し、画素２０４の変調用スイッチ回路ＳＷｍ（ｉ−１，ｊ＋１）は、変調データ出力部９１より信号線２３２を介して供給される行毎の変調データＨｍｏｄ（ｊ＋１）に基づいてオン動作およびオフ動作を行い、キャパシタＰ（ｉ−１，ｊ＋１）に蓄積された画像データ（電荷）を変調し、画素２０５の変調用スイッチ回路ＳＷｍ（ｉ，ｊ＋１）は、変調データ出力部９１より信号線２３２を介して供給される行毎の変調データＨｍｏｄ（ｊ＋１）に基づいてオン動作およびオフ動作を行い、キャパシタＰ（ｉ，ｊ＋１）に蓄積された画像データ（電荷）を変調し、画素２０６の変調用スイッチ回路ＳＷｍ（ｉ＋１，ｊ＋１）は、変調データ出力部９１より信号線２３２を介して供給される行毎の変調データＨｍｏｄ（ｊ＋１）に基づいてオン動作およびオフ動作を行い、キャパシタＰ（ｉ＋１，ｊ＋１）に蓄積された画像データ（電荷）を変調する。
【０１０７】
すなわち、図７の場合、変調データ出力部９１は、各画素の変調用スイッチ回路ＳＷｍに対して、行毎の変調データＨｍｏｄを供給し、行毎に制御する。これにより、表示部７７の同じ行の画素からは同じ変調データが出力されるようにすることができる（行毎に異なる変調データが出力されるようにすることができる）。従って、画像処理装置５０は、単位時間に、より複雑で、かつ、より多量の情報を、より正確に処理することができる。なお、変調データ出力部９１が各行に対して出力する制御信号Ｈｍｏｄの波形は、互いに独立しており、それらの制御信号Ｈｍｏｄの内、その一部または全部が同じ波形であってもよいし、全て互いに異なる波形であってもよい。
【０１０８】
なお、図８に示されるように、画素毎に異なる変調データが供給されるようにしてももちろんよい。図８の場合、変調データ出力部９１は、例えば、ｊ行ｉ列目の画素３０２の変調用スイッチ回路ＳＷｍ（ｉ，ｊ）に対して、画素３０２専用の信号線３３２を介して、画素３０２用の変調データＭ（ｉ，ｊ）を供給する等、各画素の変調用スイッチ回路ＳＷｍに対して、画素毎に異なる変調データＭを供給し、画素毎に制御する。これにより、表示部７７の各画素からは互いに異なる変調データが出力されるようにすることができる（行毎に異なる変調データが出力されるようにすることができる）。従って、画像処理装置５０は、単位時間に、より複雑で、かつ、より多量の情報を、より正確に処理することができる。
【０１０９】
さらに、上述した以外にも、変調データ出力部９１が、例えば、隣接するｎ画素×ｎ画素の画素（例えば、２画素×２画素の４画素）等のように、行や列が異なる複数の画素を単位として変調データを供給するようにしてもよい。その際、同じ変調データが供給される各画素が互いに離れた位置にあってももちろんよい。
【０１１０】
以上のように、画像表示装置５０が画像データを変調して出力するようにした場合、各画素に与えられた輝度信号（キャパシタに蓄積される電荷）を変調するので、画素の光量が本来意図したもの（画像データにより指定される光量）と異なるものになり、表示部７７より、画像データに対応する画像と異なる画像が出力される恐れがある。すなわち、変調により削減される光量が各画素間において均一でない場合、各画素より出力される光量の画素間の関係が画像データにより指定されるものと異なるものとなるので、画像データが変調されることによって単に画像が暗くなるだけでなく、画像の内容自体が変化してしまう恐れがある。
【０１１１】
このような現象を抑制するために、図９に示されるように、変調データ出力部３６０が、平均値調整部３６１を有するようにし、変調データ出力部３６０より出力される変調データのパターンを、その平均値が均一になるように調整するようにしてもよい。
【０１１２】
図９に示される画像表示装置３５０は、基本的に画像表示装置５０と同様の構成である。ただし、画像表示装置３５０の場合、上述したように、変調データ出力部３６０が、平均値調整部３６１を有し、信号レベルの平均値が各画素間において一定になるように調整された変調データを表示部７７に出力する。
【０１１３】
平均値調整部３６１は、変調データ入力部８１より供給された、周期的パルス列からなる変調データにおいて、値が「１」（または「０」）のパルス幅とパルス繰り返し周期との比を示すデューティサイクル（デューティ比）を調整することによって、変調データの平均値が各画素間で一定になるようなパターンとするように変調データを調整する。
【０１１４】
例えば、平均値調整部３６１は、供給された変調データに対して、DSV（Digital Sum Value）制御を行い、その変調データの値「１」を「＋１」と換算し、値「０」を「−１」と換算し、そのように換算された値を累積加算した値が予め定められた所定の値（デューティサイクルの設定値に基づく値）に近くになるように変調データの値を制御する。その際、平均値調整部３６１は、複数ビットからなるDSVコントロールビットを変調データに付加し、それらの値を調整することで上述したようなDSV制御を行う。例えば、平均値調整部３６１は、算出された累積加算値が目的の値より小さい場合、値が「１」のDSVコントロールビットを変調データに付加し、算出された累積加算値が目的の値より大きい場合、値が「０」のDSVコントロールビットを変調データに付加することにより累積加算値を目的の値に近づける。平均値調整部３６１は、以上のようなDSV制御を所定の間隔で繰り返す。その間隔は、例えば、動作タイミング制御部７５に供給される同期信号に同期したものであってもよいし、変調データの周期に同期したものであってもよい。また、平均値調整部３６１は、変調データの複数のパルスを対象として、上述したDSV制御を行い、その複数のパルスにおけるデューティサイクルの平均値を調整するようにしてももちろんよい。
【０１１５】
変調データ出力部３６０は、以上のように平均値（デューティサイクル）を調整された変調データを表示部７７に出力する。
【０１１６】
例えば、平均値調整部３６１が、入力された変調データを、そのデューティサイクルが５０％になるように調整するように設定されている場合、平均値調整部３６１は、入力された変調データに対して上述したDSV制御を行い、図１０の信号３７０に示されるようなデューティサイクルの値が５０％の変調データＨｍｏｄ（ｉ）を出力する。
【０１１７】
図１０の信号３７１に示されるような、信号レベル（高さ）が「ｐ１」のパルスを含む画像データＰ（ｉ，１）は、信号３７０に示されるような変調データＨｍｏｄ（i）により変調されると、図１０の信号３７２に示されるような変調画像データＰｍ（ｉ，１）となる。このとき、変調画像データＰｍ（ｉ，１）の平均値は、画像データＰ（ｉ，１）の半分の「ｐ１／２」となり、画像データとしては、図１０の信号３７３（Ave（Ｐｍ（ｉ，１）））と同等な信号となる。
【０１１８】
同様に他の画素においても、図１０の信号３８１に示されるような、信号レベル（高さ）が「ｐ２」のパルスを含む画像データＰ（ｉ，２）は、信号３７０に示されるような変調データＨｍｏｄ（i）により変調されると、図１０の信号３８２に示されるような変調画像データＰｍ（ｉ，２）となる。このとき、変調画像データＰｍ（ｉ，２）の平均値は、画像データＰ（ｉ，２）の半分の「ｐ２／２」となり、画像データとしては、図１０の信号３８３（Ave（Ｐｍ（ｉ，２）））と同等な信号となる。従って、各画素における光量の削減量の割合が一定となり、各画素間の関係が保たれるので、画像の内容自体の変化を抑制することができる。
【０１１９】
図１１のフローチャートを参照して、上述したように変調データのデューティサイクルを算出する場合における表示制御処理について説明する。
【０１２０】
この場合においても、画像表示装置５０の各部は、図６のフローチャートを参照して説明した場合と基本的に同様に表示制御処理を行う。すなわち、画像データ入力部８２は、ステップＳ３１において、ステップＳ１の場合と同様に、外部より供給される画像データを受け付け、それを画像データ出力部１１に供給し、変調データ入力部８１は、ステップＳ３２において、ステップＳ２の場合と同様に、外部より供給される変調データを受け付け、それを変調データ出力部３６０に供給する。
【０１２１】
変調データ出力部３６０は、図６のフローチャートを参照して説明した場合と異なり、ステップＳ３３において、例えば、入力部７１を制御する等して、変調データの平均値（デューティサイクル）の設定値に関する入力を受け付ける。
【０１２２】
ステップＳ３４において、画像データ出力部１１は、ステップＳ３の場合と同様に、画像データが入力されたか否かを判定し、入力されたと判定した場合、ステップＳ３５に処理を進め、ステップＳ４の場合と同様に、表示部７７の各画素に画像データを出力する。ステップＳ３６において、スイッチ制御部１２は、ステップＳ５の場合と同様に、画像データ出力部１１に制御されて、動作タイミング制御部７５より供給される同期信号に基づいて、画像データ出力部１１による画像データの出力のタイミングに合わせて、各画素のスイッチ回路を制御し、各画素のキャパシタにそれらの画像データを電荷として蓄積させる。
【０１２３】
ステップＳ３７において、変調データ出力部３６０は、ステップＳ６の場合と同様に、変調データが入力されたか否かを判定し、入力されたと判定した場合、ステップＳ３８に処理を進める。ステップＳ３８において、図６のフローチャートを参照して説明した場合と異なり、変調データ出力部３６０の平均値調整部３６１は、ステップＳ３３の処理により、平均値に関する入力を受け付け、変調データの平均値（デューティサイクル）が指定されたか否かを判定し、平均値が指定されたと判定した場合、ステップＳ３９に処理を進め、変調データのデューティサイクルを指定された値に調整し、ステップＳ４０に処理を進める。また、ステップＳ３８において、平均値が指定されていないと判定した場合、平均値調整部３６１は、ステップＳ３９の処理を省略し、ステップＳ４０に処理を進める。
【０１２４】
ステップＳ４０において、変調データ出力部３６０は、ステップＳ７の場合と同様に、表示部７７の各画素に変調データを各画素の変調用スイッチ回路に供給し、その変調データにより変調用スイッチ回路の動作を制御して、キャパシタに蓄積されている画像データ（電荷）を変調する。そして、ステップＳ４１において表示部７７は、ステップＳ８の場合と同様に、そのスイッチ回路の出力である変調済み画像データを各画素の発光素子に供給し、それぞれ発光させる。このようにすることにより、発光素子は、変調された画像データに対応する画像（すなわち、画像と変調データの内容の両方）を出力する。従って、画像処理装置５０は、単位時間に、より複雑で、かつ、より多量の情報を、より正確に処理することができる。発光素子を発光させた表示部７７は、ステップＳ４３に処理を進める。
【０１２５】
また、ステップＳ３７において、変調データが入力されていないと判定した場合、変調データ出力部３６０は、ステップＳ４２に処理を進め、スイッチ回路の出力である変調済み画像データを各画素の発光素子に供給し、図６の場合と同様にそれぞれ発光させる。発光素子を発光させた表示部７７は、ステップＳ４３に処理を進める。
【０１２６】
さらに、ステップＳ３４において、画像データが入力されていないと判定した場合、CPU６１は、ステップＳ４３に処理を進める。
【０１２７】
ステップＳ３４において、CPU６１は、表示制御処理を終了するか否かを判定し、終了しないと判定した場合、ステップＳ３１に処理を戻し、それ以降の処理を繰り返す。また、ステップＳ４３において、表示制御処理を終了すると判定した場合、CPU６１は、ステップＳ４４において終了処理を行った後、表示制御処理を終了する。
【０１２８】
以上のように画像データを各画素のキャパシタに電荷として蓄積させた後、その電荷を発光素子に供給させる際に、変調データが存在する場合には、キャパシタに蓄積されている画像データ（電荷）を変調してから発光素子に供給させることにより、表示部７７は、画像データに対応する画像だけでなく、変調データに含まれる内容の情報を出力することができる。
【０１２９】
また、その際に、変調データは、予め設定されたデューティサイクルとなるように、その平均値が調整される。
【０１３０】
なお、以上において説明した、デューティレベルは、上述した５０％でなくてもよく、その割合はいくつであってもよい。例えば、図１２に示されるように、変調データのデューティサイクルを３分の２（Duty６６．６％）としてもよい。
【０１３１】
図１２において、キャパシタＰ（ｉ，１）に入力された、高さｐ１のパルス部分を有する信号３９１が、変調用スイッチ回路ＳＷｍにおいて、信号３９０に示される、デューティサイクルが６６．６％（Duty６６．６％）の変調データＶｍｏｄにより変調されると、変調されたキャパシタＰの出力Ｐｍ（ｉ，１）は、信号３９２のようになり、その平均値Ave（Ｐｍ（ｉ，１））は、信号３９３に示されるように、高さｐ１の３分の２（ｐ１×２／３）となる。
【０１３２】
なお、以上において画像データは、画像データの変調された部分の振幅が、変調前の画像データの振幅と同じになるように変調されるように説明したが、これに限らず、画像データの変調された部分の振幅が、変調前の画像データの振幅と異なるように変調されるようにしてもよい。
【０１３３】
図１３は、そのような場合の、表示部７７に含まれる一部の画素の構成例を示す図である。
【０１３４】
図１３には、表示部７７に行列に配置される画素の内、（ｊ−１）行ｉ列目の画素４０１、ｊ行ｉ列目の画素４０２、（ｊ＋１）行ｉ列目の画素４０３が示されている。画素４０２には、上述した場合と同じように、画素４０２用の画像データを取得するためのスイッチ回路ＳＷ（ｉ，ｊ）、画像データを変調するためのスイッチ回路ＳＷｍ（ｉ，ｊ）、および発光素子ＥＬ（ｉ，ｊ）が含まれているが、上述したキャパシタＰ（ｉ，ｊ）の代わりに、２つのキャパシタＰ１（ｉ，ｊ）およびＰ２（ｉ，ｊ）が設けられ、さらに、それぞれ所定の抵抗値の抵抗である２つの抵抗Ｒ１（ｉ，ｊ）およびＲ２（ｉ，ｊ）が設けられている。また、スイッチ回路ＳＷｍ（ｉ，ｊ）は、２入力１出力のスイッチ回路により構成され、制御端子に供給される制御信号に基づいて、２つの入力の内いずれか一方を出力する。
【０１３５】
キャパシタＰ１（ｉ，ｊ）は、キャパシタＰの場合と同様に、スイッチ回路ＳＷ（ｉ，ｊ）と変調用スイッチ回路ＳＷｍ（ｉ，ｊ）に接続されており、スイッチ回路ＳＷ（ｉ，ｊ）より供給される画像データ（電荷）を蓄積し、変調用スイッチ回路ＳＷｍ（ｉ，ｊ）に供給する。また、スイッチ回路ＳＷ（ｉ，ｊ）の出力端子には、抵抗Ｒ１（ｉ，ｊ）の一方の端子が接続されている。抵抗Ｒ１（ｉ，ｊ）の他方の端子には、抵抗Ｒ２（ｉ，ｊ）の一方の端子が接続されており、他方の端子がグランドに設置されている。
【０１３６】
また、抵抗Ｒ１（ｉ，ｊ）および抵抗Ｒ２（ｉ，ｊ）の、抵抗Ｒ１（ｉ，ｊ）および抵抗Ｒ２（ｉ，ｊ）が互いに接続されている側の端子と、変調用スイッチ回路ＳＷｍ（ｉ，ｊ）の間には、キャパシタＰ２（ｉ，ｊ）が接続されている。
【０１３７】
すなわち、スイッチ回路ＳＷ（ｉ，ｊ）の出力により、キャパシタＰ１（ｉ，ｊ）に電荷が蓄積されるとともに、キャパシタＰ２（ｉ，ｊ）にも、キャパシタＰ１（ｉ，ｊ）に蓄積される電荷の所定の割合の電荷が蓄積される。つまり、例えば、抵抗Ｒ１（ｉ，ｊ）の抵抗値をｒ１とし、抵抗Ｒ２（ｉ，ｊ）の抵抗値をｒ２とすると、スイッチ回路ＳＷ（ｉ，ｊ）の出力によりキャパシタＰ１（ｉ，ｊ）に電圧Ｖの電荷が充電されるとき、キャパシタＰ２（ｉ，ｊ）には、電圧Ｖ×ｒ２／（ｒ１＋ｒ２）の電荷が充電される。
【０１３８】
変調用スイッチ回路ＳＷｍ（ｉ，ｊ）は、制御端子に供給される制御データに基づいて、キャパシタＰ１（ｉ，ｊ）に蓄積された電荷、またはキャパシタＰ２（ｉ，ｊ）に蓄積された電荷の内、いずれか一方を選択し、発電素子ＥＬ（ｉ，ｊ）に供給する。
【０１３９】
すなわち、スイッチ回路ＳＷ（ｉ，ｊ）は、信号線１０３−ｊを介して供給される制御データＧ（ｊ）に基づいてオン動作およびオフ動作を行い、信号線１０２を介して画素４０２に供給された画像データＤ（ｉ）から、画素４０２用の画像データを抽出してキャパシタＰ１（ｉ，ｊ）に供給し、図１４に示される信号４４１の高さｐ１で示される電圧の電荷を蓄積させる。また、抵抗Ｒ１（ｉ，ｊ）および抵抗Ｒ２（ｉ，ｊ）の抵抗値がともにｒであるとすると、その際、キャパシタＰ２（ｉ，ｊ）には、高さｐ１／２出示される電圧の電荷（すなわち、キャパシタＰ１（ｉ，ｊ）に蓄積される電荷の半分の電荷）が蓄積される。
【０１４０】
変調用スイッチ回路ＳＷｍ（ｉ，ｊ）は、信号線１１１を介して供給される、図１４の信号４４０に示されるような、デューティサイクルが５０％の変調データＶｍｏｄ（ｉ）に基づいて、キャパシタＰ１（ｉ，ｊ）またはＰ２（ｉ，ｊ）に蓄積された電荷を出力する。従って、画像データは、変調用スイッチ回路ＳＷｍ（ｉ，ｊ）のスイッチングにより、高さｐ１で示される電圧と、高さｐ１／２で示される電圧との間で変調され、図１４の信号４４２に示されるような波形の、変調された画像データＰｍ（ｉ，ｊ）となる。すなわち、この信号４４２のパルス部分の平均値Ａｖｅ（Ｐｍ（ｉ，ｊ））は、信号４４３に示されるように、信号４４１のパルス部分における平均値の４分の３となる。
【０１４１】
画素４０１および画素４０３も、画素４０２の場合と同様の構成であるので、その説明を省略する。なお、表示部７７の画素４０１乃至画素４０３以外の画素も同様の構成である。
【０１４２】
このようにすることにより、変調信号の振幅をより自由に調節することが可能になり、表示部７７が、変調データを出力することにより、画像の光量に与える影響を減らすことができる。従って、画像処理装置５０は、単位時間に、より複雑で、かつ、より多量の情報を、より正確に処理することができる。
【０１４３】
以上において、画像表示装置は、垂直同期信号Ｖｓｙｎｃに同期して変調データを出力する場合について説明したが、これに限らず、例えば、画素の応答速度が十分に高速であるならば、水平同期信号Ｈｓｙｎｃに同期して変調データを出力するようにしてもよい。
【０１４４】
例えば、図１５の信号５３１に示されるように、垂直同期信号Ｖｓｙｎｃの１周期をパルス部分５３１Ａからパルス部分５３１Ｂまでの垂直期間Ｖとすると、この垂直期間Ｖにおいて、各画素のスイッチ回路ＳＷの動作を行毎に制御する制御データＧ（１）乃至制御データＧ（１００）は、信号５３２乃至信号５３６に示されるように、それぞれのパルス部分５３２Ａ乃至５３６Ａが互いに異なるタイミングで順番に並んでいる。
【０１４５】
例えば、制御データＧ（１）の波形を示す信号５３２のパルス部分５３２Ａが終了すると、制御データＧ（２）の波形を示す信号５３３のパルス部分５３３Ａが開始され、パルス部分５３３Ａが終了すると、制御データＧ（３）の信号のパルス部分が開始される。すなわち、パルス部分５３２Ａ乃至５３６Ａは、水平同期信号Ｈｓｙｎｃに同期しており、それらの長さは、水平同期信号Ｈｓｙｎｃの１周期を示す。
【０１４６】
従って、キャパシタＰ（ｉ，１）乃至キャパシタＰ（ｉ，１００）に電荷が蓄積されるタイミングは、信号５４２乃至信号５４６のパルス部分５４２Ａ乃至５４６Ａのように、それぞれ、この水平同期信号Ｈｓｙｎｃの１周期分ずつずれることになる。
【０１４７】
信号５５０に示されるような上述の変調データVmodと、このような制御データＧとの論理積を変調用スイッチ回路ＳＷｍの制御信号とすることにより、信号５６２乃至信号５６６に示されるように、キャパシタＰの出力（パルス部分５４２Ａ乃至５４６Ａ）の内、その一部分（区間５６２Ａ乃至５６６Ａ）のみが変調される。例えば、図１５の場合、キャパシタＰ（ｉ，ｊ）の出力であるパルス部分５４２Ａは、その一部分である区間５６２Ａが、変調データVmodの１周期である区間５５１の一部の区間５５２によって変調されている。すなわち、図１６に示されるように、信号５６２は、水平期間Ｈである区間５６２Ａの部分だけ変調されている。
【０１４８】
このようにすることにより、画像表示装置は、表示部７７の各画素の構成が図４に示されるような場合においても、画素の列単位だけでなく、画素のライン毎（行毎）や画素毎に異なる変調データを出力することができる。また、各画素において画像データが変調される期間を短くすることができるので、画像表示装置は、変調データと同時に出力される画像の輝度に、より影響を与えずに変調データを出力することができる（画像の輝度低下量を低減させることができる）。従って、画像処理装置５０は、単位時間に、より複雑で、かつ、より多量の情報を、より正確に処理することができる。なお、この方法は、表示部７７の構成が図７、図８、または図１３の場合においても適用可能である。
【０１４９】
以上のように、画像表示装置５０および画像表示装置３５０は、表示部７７において、画像データに対応する画像とともに、変調データを、表示画面の縦方向共通、横方向共通、各画素、若しくは、複数画素毎等、任意の画素を単位として出力することができる。また、画像表示装置５０および３５０がこれらの画素を単位として、互いに異なる変調データを出力する場合、光の輝度変化を検出可能なセンサを用いて表示部７７の発光波形を観測することにより、変調データの受光装置は、受信した変調データが出力される画素の位置を、受信した変調データに基づいて特定することができる。
【０１５０】
以上においては、表示部７７は画像データ（画像データに対応する画像）を、変調データを用いて変調して出力するように説明したが、これに限らず、例えば、変調データを出力する画素においては、画像を出力しないようにしてもよい。
【０１５１】
例えば、図１７に示されるように、画像表示装置５０および画像表示装置３５０は、表示部７７に表示される画面６００において、所定の画素６１１乃至６１４より変調データが出力されるようにし、その画素６１１乃至６１４においては、表示部７７に供給された画像データに対応する画像（従来どおりの画像）ではなく、例えばその画素の輝度が最大となるように発光させ（白色に発光させ）、受光装置が変調データを抽出しやすくするようにしてもよい。図１７の場合、４つの画素６１１乃至６１４が受光窓として白色光を発光（最大発光）するように設定されており、また、画素６１１乃至６１４は、他の列と異なる信号Vmod（１１）またはVmod（１２）が供給され、他の画素に供給される変調データ（Vmod（１）乃至Vmod（１０）、並びに変調データV（１３）乃至Vmod（１９）と異なる波形の変調データVmod（１１）またはVmod（１２）を、それぞれの画素より出力する。
【０１５２】
このようにすることにより、画像表示装置５０（または画像表示装置３５０）は、変調データの値「１」と「０」を最大発光と非発光で表すことができるので、受光装置において受信された信号のS/N比を向上させることができる。従って、画像処理装置５０は、単位時間に、より複雑で、かつ、より多量の情報を、より正確に処理することができる。また、このように、変調データが出力されていない状態で輝度が最大となるように発光させた受光窓を設け、その受光窓より変調データを出力させるようにすることにより、ユーザは、受光装置のセンサ部（出力された変調データを受信可能な受光部）を、より正確に変調データの出力位置に合わせることができる。
【０１５３】
さらに、画像表示装置５０が取得した画像データ（画像データに対応する画像）を、変調データを用いて変調させて出力する場合、その変調データにおける値「１」と値「０」の閾値（スレッシュホルド電圧）が、変調される画像によって異なる（通常、１画面分の画像における各画素の値は互いに異なるので、画素によって閾値が異なる）ので、受光装置においてその情報に基づく制御を行わなければならない（画像に合わせて、受信した変調データを解析する際の閾値を変更するように制御しなければならない）が、上述したような受光窓を設けることにより、その受光窓により出力される変調データにおける値「１」と値「０」の閾値を一定にすることができる。従って、画像処理装置５０は、単位時間に、より複雑で、かつ、より多量の情報を、より正確に処理することができる。
【０１５４】
なお、以上のような受光窓は、例えば、図１８に示されるように、画像上の位置を時刻によって変更するようにしてもよい。図１８において、受光窓は、表示部７７に表示された画像６００Ａの図中「Ａ」に示される位置６２１に設けられており、時間が経過し、画像６００Ｂが表示されると、図中「Ｂ」に示される位置６２２に移動し、さらに時間が経過し、画像６００Ｃが表示されると、図中「Ｃ」に示される位置６２３に移動する。このように、受光窓は時間軸に沿って、その位置を変更させるようにもすることができる。その際、上述したように、受光窓の画素は、輝度最大の白色光を、変調データにより変調して出力するので、ユーザは、受光窓の位置が変更してもその位置を容易に識別し、受光装置のセンサ部（出力された変調データを受信可能な受光部）を、より正確に変調データの出力位置に合わせることができる。
【０１５５】
なお、受光窓の位置を変更するタイミングは、どのようなタイミングであってもよく、例えば、所定の時間間隔毎のように周期的であっても良いし、非周期的に変化するようにしてもよい。また、図１９に示されるように複数の受光窓が同時に表示されるようにしてももちろんよい。図１９の表示部７７に表示された画像６００において、受光窓は、「Ａ」に示される位置６３１、「Ｂ」に示される位置６３２、および「Ｃ」に示される位置６３３の３箇所に表示されている。
【０１５６】
次に、以上のように出力された変調データを受信する受光装置側について説明する。
【０１５７】
図２０は、本発明を適用した通信システムの構成例を示す図である。
【０１５８】
図２０において、通信システム６５０は、上述した画像表示装置５０および画像表示装置５０の表示部７７より出力された光を受光する受光装置６６０よりなる通信システムである。
【０１５９】
受光装置６６０は、レンズ部６６１、フォトダイオード等の光電変換素子からなる光電変換部６６２、および光電変換部６６２より出力される電気信号を増幅する増幅回路６６３を有しており、画像表示装置５０の表示部７７より出力された光を受光し、変調データを取得する装置である。
【０１６０】
光電変換部６６２は、例えば、CCD（Charge Coupled Device）やCMOS（Complementary Metal Oxide Semiconductor）センサ等よりなり、行列状に配置されたフォトダイオード群において入射光を光電変換し、入射光の光量に応じた電気信号を出力し、増幅回路６６３に供給する。増幅回路６６３は、光電変換部６６２より供給された電気信号（画像表示装置５０より出力された情報を含む電気信号）を増幅し、出力する。すなわち、増幅回路６６３より出力される信号には、画像表示装置５０より出力される画像データおよび変調データを含む信号が含まれる。
【０１６１】
図２０において、画像表示装置５０は、表示部７７に画像６００を表示させるとともに、一部の画素６１１乃至６１４を受光窓とし、それらの画素より変調データを出力する。ユーザは、受光装置６６０を操作し、その受光装置６６０を、この受光窓（画素６１１乃至６１４）に対向するように近接させる。受光装置６６０は、この受光窓より出力される光を受光し、その入射光を光電変換して電気信号に変換すると、それを増幅して出力する。
【０１６２】
図２０の通信システム６５０において、画像表示装置５０のスイッチ制御部１２が、図２１に示されるように、信号６７１乃至信号６７３に示されるような制御データにより表示部７７のスイッチ回路ＳＷを制御し、変調データ出力部９１が信号６８０に示されるような変調データを受光窓の画素６１１および画素６１３の列に出力すると、番号「１」で示される受光窓の画素６１１からは信号６９１に示されるような波形の信号が出力され、番号「３」で示される受光窓の画素６１３からは信号６９２に示されるような波形の信号が出力される。図２１に示されるように、画素６１１より出力される信号６９１においては、画像データが出力される部分６９１Ａが変調データにより変調されており、画素６１３より出力される信号６９２においては、画像データが出力される部分６９２Ａが変調データにより変調されている。
【０１６３】
このような受光窓の画素６１１に、受光装置６６０の受光部であるレンズ部６６１を近接させると、画素６１１より出力された光は、レンズ部６６１を介して光電変換部６６２に入射する。光電変換部６６２は、入射光を電気信号に変換し、変換した電気信号を増幅回路６６３に供給する。増幅回路６６３は、その電気信号を増幅し、図２１の信号６９３に示されるような波形の電気信号（入力データ）を出力する。信号６９３においては、画素６１１より出力される信号６９１に対応し、画像データが出力される部分６９３Ａが変調データにより変調されている。
【０１６４】
このように、表示部７７の各画素は、垂直期間Ｖにおいて発光していない時間（例えば、信号６９１における期間６９１Ｂ）があり、通信システム６５０の画像表示装置５０および受光装置６６０は、この時間においてデータの授受を行うことができない。画像表示装置５０は、上述したようにキャパシタＰの出力時間を制御して、この時間を短くするように（すなわち、垂直期間Ｖにおける発光時間の割合を多くするように）制御することにより、単位時間あたりに、より多くの変調データを受光装置に供給することができる。
【０１６５】
なお、光電変換部６６２におけるフォトダイオードの数（画素数）は、いくつであってもよく、１つであってもよいし、複数であってもよい。また、光電変換部６６２は、その全画素（のフォトダイオード）において蓄積された電荷を同時に取り出すようにしてもよいし、各画素（例えば縦方向や横方向等）において電荷取り出しタイミングが異なるようにし、線順次動作するようにしてもよい。また、その走査方法は、１回の読み出し処理において全画素の電荷を読み出すプログレッシブ方式であってもよいし、１ラインおきに読み出すインターレス方式であってももちろんよい。しかしながら、光電変換部６６２が表示部７７における線順次動作と異なる動作を行う場合、各画素において読み出された変調データの合成処理が複雑になる場合がある。したがって、光電変換部６６２における動作は、データ伝送に関する処理を簡略化するために、画像表示装置５０の表示部７７と同様の方式であるのが望ましい。
【０１６６】
また、受光装置６６０は、入射光を電気信号に変換して増幅するだけでなく、増幅された電気信号に含まれる変調データを抽出し、その抽出した変調データを出力するようにしてもよい。その場合の、受光装置の構成例を図２２に示す。
【０１６７】
図２２の受光装置７００において、CPU（Central Processing Unit）７１１は、ROM７１２に記憶されているプログラムに従って各種の処理を実行する。RAM（Random Access Memory）７１３には、CPU７１１が各種の処理を実行する上において必要なデータやプログラムなどが適宜記憶される。
【０１６８】
CPU７１１、ROM７１２、およびRAM７１３は、バス７１４を介して相互に接続されている。このバス７１４にはまた、入出力インタフェース７２０も接続されている。
【０１６９】
入出力インタフェース７２０は、キーボードやマウスから構成される入力部７２１が接続され、入力部７２１に入力された信号をCPU７１１に出力する。また、入出力インタフェース７２０には、ディスプレイやスピーカなどから構成される出力部７１２も接続されている。
【０１７０】
さらに、入出力インタフェース７２０には、ハードディスクなどから構成される記憶部７２３、インターネットなどのネットワークを介して他の装置とデータの通信を行う通信部７２４、並びに、上述したレンズ部６６１および光電変換部６６２の動作を制御する動作制御部７２５も接続されている。
【０１７１】
動作制御部７２５は、CPU７１１に制御され、レンズ部６６１を制御して焦点位置を調整したり、光電変換部６６２を制御して光電変換処理のタイミング等を調整したりする。
【０１７２】
また、入出力インタフェース７２０に接続されたドライブ７２６は、磁気ディスク、光ディスク、光磁気ディスク、または半導体メモリなどの記録媒体からなるリムーバブルメディア７２７よりデータを読み出したり、データを書き込んだりするときに用いられる。
【０１７３】
光電変換部６６２は、動作制御部７２５に制御され、レンズ部６６１を介して入射された入射光を電気信号に変換し、増幅回路６６３に供給する。増幅回路６６３は、供給された電気信号を所定の増幅度で増幅し、増幅した電気信号（入力データ）を、入出力インタフェース７２０を介してCPU７１１に供給する。CPU７１１は、供給された入力データを復調して目的の変調データを取得する。入力データに含まれる画像データは、予め定められた所定の周波数の信号であるので、CPU７１１は、その周波数の情報を入力データより除去するようにすることにより変調データを取得する。その際CPU７１１は、補正処理やエラー訂正処理等の各種の信号処理を必要に応じて行う。
【０１７４】
なお、受光装置の位置は、ユーザが受光窓の位置を確認して調整するようにしてもよいし、受光装置の位置を調整する機構を設けるようにし、その機構が、例えば、変調データに含まれる受光窓の位置情報などに基づいて調整するようにしてもよい。
【０１７５】
図２３のフローチャートを参照して、受光装置７００による受光制御処理について説明する。最初に、ステップＳ６１において、CPU７１１は、動作制御部７２５を制御して、光電変換部６６２の受光動作を制御し、例えば、受光処理のタイミングを画像表示装置における画像表示タイミングに同期させる等、受光処理のタイミングを調整する。
【０１７６】
タイミングを調整された光電変換部６６２は、ステップＳ６２において、その動作制御部７２５に制御されて動作し、入射光を光電変換した電気信号を増幅回路６６３に出力する。増幅回路６６３は、電気信号を取得すると、ステップＳ６３においてそれを増幅し、増幅した電気信号（入力データ）を、入出力インタフェース７２０を介してCPU７１１に供給する。CPU７１１は、入力データを取得すると、ステップＳ６４において、その入力データを復調して変調データを抽出し、ステップＳ６５において、各画素において取得された変調データを合成し、補正処理等を行い、画像表示装置５０において出力される前の変調データを生成する。生成された変調データは、CPU７１１において解析されたり、他の処理に利用されたり、記憶部７２３に記憶されたり、通信部７２４を介して他の装置に供給されたりする。
【０１７７】
ステップＳ６６において、CPU７１１は、受光制御処理を終了するか否かを判定し、終了すると判定した場合、ステップＳ６１に処理を戻し、それ以降の処理を繰り返す。また、ステップＳ６６において、受光制御処理を終了すると判定した場合、CPU７１１は、ステップＳ６７に処理を進め、終了処理を行った後、受光制御処理を終了する。
【０１７８】
以上のように、例えば、ユーザによって受光装置７００が画像表示装置５０に表示された受光窓に合わせられる場合、ユーザは、表示部７７の画素に対して、受光装置７００の光電変換部６６２の画素を正確に配置させることは困難である。また、仮にそれらが正確に対向するように位置させることができたとしても、画像表示装置５０の画素が出力する光以外の光が受光装置７００の光電変換部６６２に入射される入射光に含まれ、光電変換部６６２による光電変換処理により得られた電気信号に不必要なノイズ成分が含まれてしまう恐れがある。
【０１７９】
そこで、画像表示装置５０の表示部７７における１画素の大きさを、受光装置７００の光電変換部６６２における１画素の大きさの複数個分に相当する大きさにし、表示部７７の１画素より出力される光を光電変換部６６２の複数画素において受光して光電変換し、復調するようにしてもよい。このようにすることにより、受光装置７００において、表示部７７の１画素より出力された光を受光する複数画素の内の中心付近は、表示部７７の隣の画素より出力される光等、他の光を受光する割合を低減させることができるので、転送させる変調データを正確に受信することができる。従って、受光装置７００は、単位時間に、より複雑で、かつ、より多量の情報を、より正確に処理することができる。なお、データの内容が正しいかどうかを判別したり、訂正したりするために、変調データの中にエラー検出/訂正ビットを入れておき、復調時にこれらのビットを用いてデータの内容を検査し、必要に応じて訂正するようにしてもよい。
【０１８０】
また、上述したように画像表示装置５０の画素の大きさと受光装置７００の画素の大きさを考慮しなくても、例えば、１つのデータを変調するために画像表示装置５０の複数の画素を用いるようにしてももちろんよい。すなわち、表示部７７の複数画素を、変調データに関して１つの画素のように制御し、それらの各画素より互いに同じ変調データを出力させるようにすることにより、上述した場合と同様に、受光装置７００において、同じ変調データを複数の画素において受光するようにすることができる。このようにすることにより、受光装置７００において、表示部７７の複数の画素より出力された同じ変調データを受光する複数画素の内の中心付近は、表示部７７の隣の画素より出力される光等、他の光を受光する割合を低減させることができるので、転送させる変調データを正確に受信することができる。さらに、上述した場合と同様にエラー検出/訂正ビットを用いてエラー検出やエラー訂正を行うようにすれば、表示装置と受光器に多少の位置ずれが起こった場合においても、受光装置７００は、正しいデータを取得することができる。
【０１８１】
すなわち、受光装置７００は、光電変換部６６２の各画素において得られた変調データを、互いに異なるものとして処理することにより、複数の（より多くの）情報を画像表示装置５０より取得することも可能であるが、複数画素において得られた変調データを用いて１つの変調データを生成するようにし、画像表示装置５０と受光装置７００との間で、より正確なデータ伝送を行うことができるようにすることも可能である。
【０１８２】
なお、受光装置７００は、画像表示装置５０に同期して動作することにより、光電変換部６６２における、変調された光を受光するタイミングから、表示部７７における、その変調データの出力位置を特定することもできる。例えば、画像表示装置５０において、水平方向の画素間で互いに異なる変調データを出力するようにし、垂直方向の画素間で同じ変調データを出力するようにすることにより（すなわち、画素の列毎に互いに異なる変調データを出力させた場合）、受光装置７００のCPU７１１は、その変調データの同期信号を基準とした受光タイミングにより、垂直方向の位置を特定することができるとともに、受光した変調データ（の内容）により、水平方向の位置を特定することができる。
【０１８３】
また、図２４に示されるように、受光装置の光電変換部６６２のサイズを表示部７７のサイズと同様にし、表示部７７の各画素（発光素子）に、光電変換部６６２の各画素（フォトダイオード）が対応する（対向する場所に位置する）ように、表示部７７の発光側パネルと光電変換部６６２の受光側パネルが設置されるようにしてもよい。
【０１８４】
図２５に、この場合の光電変換部６６２の画素（フォトダイオード）および表示部７７の構成例の一部を示す。
【０１８５】
図２５において、画素７６１−１乃至７６１−１００は、光電変換部６６２のｓ列目の画素を示している。例えば、ｊ行ｓ列目の画素７６１−ｊは、フォトダイオードPD（ｓ，ｊ）およびスイッチング回路ＳＷｄ（ｓ，ｊ）よりなる。フォトダイオードPD（ｓ，ｊ）は、表示部７７のｉ行ｊ列目の画素１０１−ｊに対向するように近接され、発光素子ＥＬ（ｉ，ｊ）より出力された光を電気信号に変換する。スイッチング回路ＳＷｄ（ｓ，ｊ）は、動作制御部７２５より供給される制御データＧｄ（ｊ）により制御されてスイッチング動作を行い、フォトダイオードPD（ｓ，ｊ）の出力の、増幅回路６６３への供給を制御する。
【０１８６】
なお、他の画素も画素７６１−ｊの場合と同様の構成であり、それぞれ、表示部７７の対応する画素において発光された光を受光し、それを電気信号に変換して増幅回路６６３に出力する等、同様に動作するのでその説明を省略する。
【０１８７】
図２４の通信システムの各部における信号波形の例を図２６に示す。図２６において、表示部７７の画素は、例えば、信号８０１乃至信号８０３に示されるような制御データＧのパルス部分８１Ａ乃至８０３Ａのタイミングに基づいて、信号８１０に示される変調データVmodを用いて画像データを変調し、信号８１１乃至信号８１３に示されるような情報を光として出力する。それらの画素に対向する受光装置の画素は、制御データＧに同期している制御データＧｄにより制御されて、それぞれ、信号８１１乃至信号８１３のパルス部分８１１Ａ乃至８１３Ａの一部を受光し、信号８２１乃至信号８２３のような波形の信号に変換する。
【０１８８】
これらの各画素より出力される信号は、増幅回路６６３において増幅された後、CPU７１１において変調データが抽出され、抽出された各画素の変調データが合成され、所望の変調データが生成される。信号８２４は、信号８２１乃至信号８２３を合成した信号であり、パルス部分８２４Ａは、パルス部分８２１Ａ乃至８２３Ａを合成した信号である。
【０１８９】
このようにして、画像表示装置において同じ変調データにより変調された全ての画素の変調データを合成し、信号８１０に対応する信号８２５を生成する。
【０１９０】
なお、上述したように、受光装置の光電変換部６６２においてフォトダイオードPDの受光開始のタイミングを、表示部７７の発光素子ＥＬの発光開始タイミングと揃えるようにしてもよいし、また、図２６の信号８３１乃至信号８３３に示されるように、表示部７７の発光素子ＥＬの発光開始タイミングと異なるタイミングにおいて、フォトダイオードPDの受光を開始するようにしてももちろんよい。このとき、信号８３１乃至信号８３３の部分８３１Ａ乃至８３３Ａに示されるように、パルス部分８１１Ａ乃至８１３Ａの途中の部分が抽出され、それらを合成すると、信号８３４に示されるような波形となる。このように全画素について合成すると、信号８２５に示されるような変調データを取得できる。
【０１９１】
また、例えば、図２４に示される通信システムにおいて、表示部７７の一部の画素より、目的の変調データを出力させた場合、受光装置７００は、光電変換部６６２の、その変調データにより変調された光を受光した画素を特定することにより、表示部７７における変調データの出力位置を容易に特定することができる。
【０１９２】
以上のように、本発明を適用した受光装置は、データ出力装置（画像表示装置５０）が線順次動作により、データを出力しながら、その位置（画素）を変更する場合においても、容易にそれらの画素より出力されるデータを取得し、復元することができる。これにより、受光装置は、画像表示装置より、画像および変調データを受光し、そのデータを取得することができる。
【０１９３】
すなわち、例えば、上述したように表示する画像（画像データ）を変調データにより変調して出力させる機能を有する画像表示装置の表示部の各画素に、上述したような受光装置の各画素を備えさせることにより（光電変換機能を備えさせ、各画素において受光可能にすることにより）、このような画像表示装置と受光装置を1つの装置として構成し、そのような複数の装置を対向して配置することにより、双方向の通信を行う通信システムを実現することもできる。このようにすることにより、通信システムの各装置は、単位時間に、より複雑で、かつ、より多量の情報を、より正確に処理することができる。
【０１９４】
なお、以上において、画像表示装置５０の表示部７７における書き換え周波数と、受光装置７００の光電変換部６６２における画面読み取り周波数とが一致するようにし、かつ表示部７７における画面表示開始タイミングと光電変換部６６２の線順次開始タイミングが一定の関係を持っているようにしてもよいし（画像表示装置５０の動作と受光装置７００の動作が同期するようにしてもよいし）、書き換え周波数と画面読み取り周波数が互いに異なるようにしてもよいし、あるいは表示部７７と光電変換部６６２の垂直同期信号の間に相関が無いようにしてもよい（画像表示装置５０の動作と受光装置７００の動作が非同期としてもよい）。
【０１９５】
ただし、非同期の場合、あるいは同期であっても垂直同期信号のタイミングの関係によっては、光電変換部６６２が、表示部７７より値が「０」の信号が出力されている区間（発光していない区間）を読み取る事になってしまう可能性がある。そのため、例えば、受光装置７００が垂直同期周波数及び同期開始の位置が可変できる機構を有するようにしてもよい。例えば、初期状態において、画像表示装置５０と受光装置７００の垂直同期周波数が互いに異なるように設定しておき、受光装置７００における読み取り処理を線順次で行っていくと、表示部７７の画素が発光していない区間を受光する場合が発生する。しかしながら、同期信号の周波数が互いに異なるので、受光装置７００は、その後変調データを得られる区間を受光するようにになり、さらにその後、再び非発光区間を受光するようになる。この間の時間を計測することにより、CPU７１１は、（受光装置７００の垂直同期周波数はわかっているので、）画像表示装置５０の垂直同期周波数を判定し、その周波数に基づいて受光装置７００の動作周波数を調整し、かつ非発光時に重ならないタイミングで線順次読み取り動作を行うように制御することができる。このように制御することにより、受光装置７００は、常に画像表示装置５０の信号を読み取るようにすることができる。従って、受光装置７００は、単位時間に、より複雑で、かつ、より多量の情報を、より正確に処理することができる。
【０１９６】
また、受光装置７００が同期開始の開始位置が可変できる機構を有するようにしてもよい。受光装置７００の光電変換部６６２において電荷の読み取りを線順次で行っていくと、上述したように、受光装置７００が、表示部７７の発光素子ＥＬが発光していない区間を受光するようになる期間が発生する。このとき、受光装置７００のCPU７１１が、受光装置７００における垂直同期開始位置をずらすように制御することにより、受光装置７００が再び、表示部７７の発光素子ＥＬが発光している区間を読み取るようにすることができる。従って、受光装置７００は、単位時間に、より複雑で、かつ、より多量の情報を、より正確に処理することができる。
【０１９７】
このような制御の場合、受光装置７００は、画像表示装置５０より出力される情報の一部を取得することができない場合が発生する恐れがある。そのため、画像表示装置５０は、予め欠落を想定して同じデータを複数回発信する等、データを多重化して発信するようにしておき、受光装置７００は、受信して得られたデータを繋ぎ合わせて正しいデータを復調するようにしてもよい。
【０１９８】
さらに、他の方法として、受光装置７００の垂直同期周波数を画像表示装置５０の垂直同期周波数より２倍以上高くしておくようにしてもよい。このようにすることにより、受光装置７００が確実に表示部７７の画素が発光している区間を読み出すようになるので、受光装置７００が同期開始の開始位置が可変できる機構を有していなくてもよい。ただし、この場合、表示部７７の画素の発光中に光電変換部６６２が電荷の読み出し処理を行うことになるので、画像表示装置５０より出力された情報は、必ず、その一部が欠落して受光装置７００に供給される（受光装置７００は、画像表示装置５０より出力された情報の全てを取得できない）ので画像表示装置５０は予め欠落を想定して同じデータを複数回発信する等多重化して発信するようにしておき、受光装置７００は、受信して得られたデータを繋ぎ合わせて正しいデータを復調するようにする必要がある。
【０１９９】
なお、本発明は、上述した機能以外の機能を有する構成の情報処理装置においても適用することができる。従って、上述した画像表示装置５０、画像表示装置３５０、受光装置６６０、並びに受光装置７００は、上述した以外の機能をさらに有するようにしてももちろんよい。
【０２００】
上述した一連の処理は、ハードウェアにより実行させることもできるし、上述したようにソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体等からインストールされる。
【０２０１】
記録媒体は、例えば、図３または図２２に示されるように、パーソナルコンピュータとは別に、ユーザにプログラムを提供するために配布される、プログラムが記録されている磁気ディスク（フレキシブルディスクを含む）、光ディスク（CD-ROM（Compact Disc-Read Only Memory），DVD（Digital Versatile Disc）を含む）、光磁気ディスク（MD（Mini-Disc）（登録商標）を含む）、若しくは半導体メモリなどよりなるパッケージメディアを含むリムーバブルメディア７９または７２７により構成されるだけでなく、コンピュータに予め組み込まれた状態でユーザに提供される、プログラムが記憶されているROM６２または７１２や記憶部７３または７２３が含まれるハードディスクなどで構成される。
【０２０２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２０３】
また、本明細書において、システムとは、複数の装置により構成される装置全体を表すものである。
【図面の簡単な説明】
【０２０４】
【図１】従来のディスプレイの画素の構成例を示す図である。
【図２】図１に示されるディスプレイにおける各素子の動作タイミングを説明するための模式図である。
【図３】本発明を適用した画像表示装置の構成例を示すブロック図である。
【図４】図３の表示部の各画素の構成例を示す図である。
【図５】図３の表示部の動作タイミングを説明するための模式図である。
【図６】表示制御処理を説明するフローチャートである。
【図７】図３の表示部の各画素の、他の構成例を示す図である。
【図８】図３の表示部の各画素の、さらに他の構成例を示す図である。
【図９】本発明を適用した画像表示装置の、他の構成例を示す図である。
【図１０】画像データを変調する様子の例を示す図である。
【図１１】表示制御処理の、他の例を説明するフローチャートである。
【図１２】画像データを変調する様子の、他の例を示す図である。
【図１３】図３の表示部の各画素の、さらに他の構成例を示す図である。
【図１４】画像データを変調する様子の、さらに他の例を示す図である。
【図１５】図３の表示部の動作タイミングの他の例を説明するための模式図である。
【図１６】図１５の表示部の動作タイミングの詳細を説明するための模式図である。
【図１７】受光窓の例について説明するための図である。
【図１８】受光窓の他の例について説明するための図である。
【図１９】受光窓のさらに他の例について説明するための図である。
【図２０】本発明を適用した通信システムの例を示すブロック図である。
【図２１】図２０の受光装置における動作タイミングの例を説明する模式図である。
【図２２】受光装置の他の構成例を示すブロック図である。
【図２３】受光制御処理について説明するフローチャートである。
【図２４】図２０の通信システムの他の例を説明する模式図である。
【図２５】図２４の通信システムにおける各装置の画素の構成例を示す図である。
【図２６】図２５に示される各部の動作タイミングを説明する模式図である。
【符号の説明】
【０２０５】
１１  画像データ出力部，  １２  スイッチ制御部，  ５０  画像表示装置，  ６１  CPU，  ６２  ROM，  ６３  RAM，  ６４  バス，  ７０  入出力インタフェース，  ７１  入力部，  ７２  出力部，  ７３  記憶部，  ７４  通信制御部，  ７５  動作タイミング制御部，  ７６  表示制御部，  ７７  表示部，  ７８  ドライブ，  ７９  リムーバブルメディア，  ８１  変調データ入力部，  ８２  画像データ入力部，  ９１  変調データ出力部，  ３５０  画像表示装置，  ３６０  変調データ出力部，  ３６１  平均値調整部，  ６５０  通信システム，  ６６０  受光装置，  ６６１  レンズ部，  ６６２  光電変換部，  ６６３  増幅回路，  ７００  受光装置，  ７１１  CPU，  ７１２  ROM，  ７１３  RAM，  ７１４  バス，  ７２０  入出力インタフェース，  ７２１  入力部，  ７２２  出力部，  ７２３  記憶部，  ７２４  通信部，  ７２５  動作制御部，  ７２６  ドライブ，  ７２７  リムーバブルメディア
【図１】
2005094247.tif 000003
【図２】
2005094247.tif 000004
【図３】
2005094247.tif 000005
【図４】
2005094247.tif 000006
【図５】
2005094247.tif 000007
【図６】
2005094247.tif 000008
【図７】
2005094247.tif 000009
【図８】
2005094247.tif 000010
【図９】
2005094247.tif 000011
【図１０】
2005094247.tif 000012
【図１１】
2005094247.tif 000013
【図１２】
2005094247.tif 000014
【図１３】
2005094247.tif 000015
【図１４】
2005094247.tif 000016
【図１５】
2005094247.tif 000017
【図１６】
2005094247.tif 000018
【図１７】
2005094247.tif 000019
【図１８】
2005094247.tif 000020
【図１９】
2005094247.tif 000021
【図２０】
2005094247.tif 000022
【図２１】
2005094247.tif 000023
【図２２】
2005094247.tif 000024
【図２３】
2005094247.tif 000025
【図２４】
2005094247.tif 000026
【図２５】
2005094247.tif 000027
【図２６】
2005094247.tif 000028